(57)【要約】      （修正有）【課題】着席者の邪魔にならずかつ着席者が利用しやすいように観覧席の各椅子の前後方向スペースを広くとることができる空調システムを提供する。【解決手段】観覧席の椅子２の近傍の、各椅子の間または各椅子の斜め前方もしくは斜め後方の位置に設けられたカップホルダー３の外側に、上向きに開口する空調空気吹出口４を設け、前記空調空気吹出口から上方（斜め上方を含む）に空調空気を吹き出して、観覧席の前記椅子の着席者Ｐの近傍に空調空気を供給する。【選択図】図１
2015222162.tif 000002
【特許請求の範囲】
【請求項１】
観覧席の椅子の近傍の、各椅子の間または各椅子の斜め前方もしくは斜め後方の位置に設けられたカップホルダーの外側に、上向きに開口する空調空気吹出口を設けたことを特徴とする観覧席用空調システム。
【請求項２】
前記カップホルダーの外側面に沿って、上下方向に延在するとともに上下端が外部に開口した空調空気通路を配置し、
その空調空気通路の上端開口部を前記空調空気吹出口とするとともに、
前記カップホルダーの下に空調空気供給路を配置し、
その空調空気供給路の上端開口部を斜め上向きに前記空調空気通路に連通させたことを特徴とする、請求項１記載の観覧席用空調システム。
【請求項３】
前記空調空気吹出口を、前記カップホルダーの周囲にそのカップホルダーに対し同心円状に配置したことを特徴とする、請求項１または２記載の観覧席用空調システム。
【請求項４】
前記空調空気吹出口を、前記カップホルダーの左右外側部に膨出させて全体として長円状の輪郭で配置したことを特徴とする、請求項１または２記載の観覧席用空調システム。
【請求項５】
前記空調空気吹出口に、吹き出し方向を変える導風板を設けたことを特徴とする、請求項１から４までの何れか１項記載の観覧席用空調システム。
【請求項６】
前記カップホルダーの底部付近に、外部に連通する排水路を設けたことを特徴とする、請求項１から５までの何れか１項記載の観覧席用空調システム。
【請求項７】
前記カップホルダーを、支持部を介して前記椅子に取り付け、もしくは前記椅子に一体的に設けたことを特徴とする、請求項１から６までの何れか１項記載の観覧席用空調システム。
【請求項８】
前記カップホルダーを、支持部を介して床、壁もしくは手摺に取り付けたことを特徴とする、請求項１から７までの何れか１項記載の観覧席用空調システム。
【発明の詳細な説明】
【技術分野】
【０００１】
この発明は、観覧席に設けられた椅子の着席者の近傍に空調空気を供給して冷暖房効率を高める観覧席用空調システムに関するものである。
【背景技術】
【０００２】
着席者の近傍に空調空気を供給して冷暖房効率を高める空調システムとしては、本願出願人が先に提案した劇場やホール等の観覧席で用いられる空調連結椅子を用いたものが知られている（特許文献１参照）。この空調連結椅子は、連結椅子の脚部から背部内に供給した空調空気を、背部の上端部に設けたスリットから後方斜め上方へ吹き出して、着席者の近傍に空調空気を供給するように構成している。
【先行技術文献】
【特許文献】
【０００３】
【特許文献１】特開平０９−２５２８７７号公報
【発明の開示】
【発明が解決しようとする課題】
【０００４】
ところで、かかる従来の空調連結椅子について本願発明者が研究を進めたところ、この従来の空調連結椅子では椅子の背部内に空調空気通路を設けるとともに背部上端部に空調空気吹出口を設けることから、椅子の背部が厚くなり、観覧席の連結椅子の各椅子の前後方向スペースが狭められてしまうという不都合があった。
【０００５】
この一方、本願発明者は、連結椅子の各椅子の背部中央部は後方へ張り出して湾曲しているため前後方向寸法が大きいのに対し、連結椅子の背面側の各椅子の背部間には凹部が画成されており、この凹部に空調空気吹出口を配置すれば観覧席の連結椅子の各椅子の前後方向スペースが狭められることがないということに想到した。また観覧席では、着席者の邪魔にならずかつ着席者が利用し易いように、この凹部等の、観覧席の椅子の近傍の、各椅子の間または各椅子の斜め前方もしくは斜め後方の位置にカップホルダーが配置されていることがあり、本願発明者は、そのカップホルダーと空調空気吹出口とを有機的に結合することに想到した。
【課題を解決するための手段】
【０００６】
この発明は、上述の点に鑑みて前記課題を有利に解決することを目的とするものであり、この発明の観覧席用空調システムは、観覧席の椅子の近傍の、各椅子の間または各椅子の斜め前方もしくは斜め後方の位置に配置されたカップホルダーの外側に、上向きに開口する空調空気吹出口を設けたことを特徴とするものである。
【発明の効果】
【０００７】
かかる観覧席用空調システムにあっては、観覧席の椅子の近傍の、各椅子の間または各椅子の斜め前方もしくは斜め後方の位置に配置されたカップホルダーの外側に設けた、上向きに開口する空調空気吹出口から上方（斜め上方を含む）へ空調空気を吹き出して、観覧席の椅子の着席者の近傍に空調空気を供給する。
【０００８】
従って、この発明の観覧席用空調システムによれば、着席者の邪魔にならずかつ着席者が利用し易いように、連結椅子の背面側の各椅子の背部間に画成された凹部等の、観覧席の椅子の近傍で、各椅子の間または各椅子の斜め前方もしくは斜め後方の位置に配置されたカップホルダーの外側に空調空気吹出口を設けているので、観覧席の各椅子の前後方向スペースを広くとることができる。
【０００９】
なお、この発明の観覧席用空調システムにおいては、前記カップホルダーの外側面に沿って、上下方向に延在するとともに上下端が外部に開口した空調空気通路を配置し、その空調空気通路の上端開口部を前記空調空気吹出口とするとともに、前記カップホルダーの下に空調空気供給路を配置し、その空調空気供給路の上端開口部を斜め上向きに前記空調空気通路に連通させてもよい。
【００１０】
このようにすれば、上端が空調空気吹出口となった空調空気通路の下端が外部に開口しているので、空調空気吹出口から侵入した液体や異物を、空調空気供給路内に落下させずに、空調空気通路の下端開口から外部に排出することができ、しかも、上下方向に延在する空調空気通路に斜め上向きに連通している空調空気供給路の上端開口部から吹き出す空調空気が、空調空気通路の下端開口部から椅子の周囲の空気を誘引してその誘引空気と一緒に上方（斜め上方を含む）へ吹き出すので、吹き出す空気量を増加させて吹き出す空気に広がりを持たせ、着席者の周囲の空気の温度差を減少させて、着席者の快適感を充分に向上させることができる。
【００１１】
また、この発明の観覧席用空調システムにおいては、前記空調空気吹出口を、前記カップホルダーの周囲にそのカップホルダーに対し同心円状に配置してもよく、あるいは、前記空調空気吹出口を、前記カップホルダーの左右外側部に膨出させて全体として長円状の輪郭で配置してもよい。このようにすれば、着席者の邪魔にならないように空調空気吹出口をカップホルダーの外側に配置することができ、しかもカップホルダーの外側を通った空調空気がカップホルダーの真上にできる負圧領域で引き寄せられてカップホルダーの真上に高く吹き上げられることから、空調空気の到達高さを高めることができ、また、気流が拡散しにくいので、着席者に過剰な気流感を与えることがない。
【００１２】
さらに、この発明の観覧席用空調システムにおいては、前記空調空気吹出口に、吹き出し方向を変える導風板を設けて、着席者の好みに応じた空調状態が得られるようにしてもよく、あるいは前記カップホルダーの底部付近に、外部に連通する排水路を設けて、カップホルダー内に液体や異物がたまらないようにしてもよい。
【００１３】
さらに、この発明の観覧席用空調システムにおいては、前記カップホルダーを、支持部を介して前記椅子に取り付け、もしくは前記椅子に一体的に設けて、着席者の周囲の空気調和を行ってもよく、あるいは前記カップホルダーを、ブラケットやスタンド等の支持部を介して床、壁もしくは手摺に取り付けて、着席者の周囲の空気調和を行ってもよい。
【図面の簡単な説明】
【００１４】
【図１】（ａ），（ｂ）は、この発明の観覧席用空調システムの一実施形態の一部を示す平面図および側面図である。
【図２】（ａ），（ｂ）および（ｃ）は、上記実施形態の観覧席用空調システムに用いられるカップホルダーの一例を示す平面図、正面図および底面図である。
【図３】上記例のカップホルダーを示す側面図である。
【図４】（ａ）および（ｂ）は、上記例のカップホルダーを示す図２（ａ）中のＡ−Ａ線およびＢ−Ｂ線にそれぞれに沿う端面図である。
【図５】（ａ），（ｂ）および（ｃ）は、上記例のカップホルダーを示す図２（ｂ）中のＣ−Ｃ線、Ｄ−Ｄ線およびＥ−Ｅ線にそれぞれに沿う端面図である。
【図６】（ａ），（ｂ）および（ｃ）は、上記実施形態の観覧席用空調システムに用いられるカップホルダーの他の一例を示す平面図、正面図および底面図である。
【図７】（ａ）および（ｂ）は、上記例のカップホルダーをそれぞれ示す側面図および背面図である。
【図８】（ａ）および（ｂ）は、上記例のカップホルダーを示す図６（ａ）中のＡ−Ａ線およびＢ−Ｂ線にそれぞれに沿う端面図である。
【図９】（ａ），（ｂ）および（ｃ）は、上記例のカップホルダーを示す図６（ｂ）中のＣ−Ｃ線、Ｄ−Ｄ線およびＥ−Ｅ線にそれぞれに沿う端面図である。
【発明を実施するための形態】
【００１５】
以下に、この発明の実施の形態を実施例によって、図面に基づき詳細に説明する。ここに、図１（ａ），（ｂ）は、この発明の観覧席用空調システムの一実施形態の一部を示す平面図および側面図である。
【００１６】
この実施形態の観覧席用空調システムは、例えばサッカーグラウンド等の上方が開放された競技フィールドに沿う屋根付き階段状観覧席等の半屋外空間の観覧席や屋内競技場の観覧席の空気調和を行うためのもので、図中符号１は競技フィールドに向かって高さが下がる階段状の床台、２はその床台１の各段の床面上に競技フィールドに向けて設けられた連結椅子を示し、これらが観覧席を構成している。
【００１７】
床台１の内部には図示しない空調空気供給用のチャンバーやダクトが埋設されており、その空調空気供給用のチャンバーやダクトは、図示しない空気調和装置に接続されてそこから温風や冷風を適宜に供給される。
【００１８】
各連結椅子２には、連結椅子２の着席者Ｐの邪魔にならずかつ着席者Ｐが利用し易いように、連結椅子２の背面側の各椅子の背部２ａ間に画成された凹部にカップホルダー３が配置され、また、連結椅子２の端に位置する椅子の背部２ａの斜め後方の位置にもカップホルダー３が配置されており、この実施形態の観覧席用空調システムでは、これらのカップホルダー３の外側に以下に述べるようにして空調空気吹出口４を設けている。
【００１９】
図２（ａ）、図２（ｂ）および図２（ｃ）は、上記実施形態の空調システムに用いられるカップホルダーの一例を示す平面図、正面図および底面図であり、図３は、上記例のカップホルダーを示す側面図であり、図４（ａ）および図４（ｂ）は、上記例のカップホルダーを示す図２（ａ）中のＡ−Ａ線およびＢ−Ｂ線にそれぞれに沿う端面図であり、図５（ａ），図５（ｂ）および図５（ｃ）は、上記例のカップホルダーを示す図２（ｂ）中のＣ−Ｃ線、Ｄ−Ｄ線およびＥ−Ｅ線にそれぞれに沿う端面図である。
【００２０】
この例のカップホルダー３は、カップホルダー３の外側面に沿って上下方向に延在するとともに上下端が外部に開口した空調空気通路５を配置し、その空調空気通路の上端開口部を空調空気吹出口４とするとともに、その空調空気吹出口４をカップホルダー３の周囲にそのカップホルダー３に対し同心円状に配置し、またカップホルダー３の下に、下端部を床台１の内部の上記空調空気供給用のチャンバーやダクトに接続した空調空気供給路６を配置し、その空調空気供給路６の上端開口部６ａを斜め上向きに空調空気通路５に連通させて構成している。
【００２１】
なお、この例では空調空気通路５を画成するダクト７とその内側の放射状の複数枚のリブ８とその内側の空調空気供給路６の上端部とが樹脂で一体成型されて互いに結合され、また、カップホルダー３とその外側の放射状の複数枚のリブ９とが樹脂で一体成型されて互いに結合されている。そしてそのリブ９がダクト７の上部に嵌め込まれて接合されることで、カップホルダー３とダクト７と空調空気供給路６とが互いに結合されており、各ダクト７はカップホルダー３と一緒に、連結椅子２の各椅子の肘部後端に固定されて背部２ａ間に配置された支持部としてのブラケット１０を介して各椅子に取り付けられて、連結椅子２の各椅子の背部２ａ間に画成された凹部に配置されている。
【００２２】
この実施形態の観覧席用空調システムにあっては、連結椅子２の背面側の各椅子の背部２ａ間に画成された凹部にカップホルダー３が配置され、また、連結椅子２の端に位置する椅子の背部２ａの斜め後方の位置にもカップホルダー３が配置されており、そのカップホルダー３の外側に設けた、上向きに開口する空調空気吹出口４から上方（斜め上方を含む）へ空調空気を吹き出して、観覧席の連結椅子２の各椅子の着席者Ｐの近傍に空調空気を供給する。
【００２３】
従って、この例のカップホルダー３を用いたこの実施形態の観覧席用空調システムによれば、観覧席の連結椅子２の近傍の、連結椅子２の着席者Ｐの邪魔にならずかつ着席者Ｐが利用し易い位置にカップホルダー３が配置され、そのカップホルダー３の外側に空調空気吹出口４を設けているので、観覧席の連結椅子２の各椅子の前後方向スペースを広くとることができる。
【００２４】
また、この例のカップホルダー３を用いたこの実施形態の観覧席用空調システムによれば、カップホルダー３の外側面に沿って、上下方向に延在するとともに上下端が外部に開口した空調空気通路５を配置し、その空調空気通路５の上端開口部を空調空気吹出口４とするとともに、カップホルダー３の下に空調空気供給路６を配置し、その空調空気供給路６の上端開口部６ａを斜め上向きに空調空気通路５に連通させていることから、上端が空調空気吹出口４となった空調空気通路５の下端が外部に開口しているので、空調空気吹出口４から侵入した液体や異物を、空調空気供給路６内に落下させずに、空調空気通路５の下端開口から外部に排出することができる。
【００２５】
しかも、この例のカップホルダー３を用いたこの実施形態の観覧席用空調システムによれば、上下方向に延在する空調空気通路５に斜め上向きに連通している空調空気供給路６の上端開口部６ａから吹き出す空調空気が、空調空気通路５の下端開口部から椅子の周囲の空気を誘引してその誘引空気と一緒に上方（斜め上方を含む）へ吹き出すので、吹き出す空気量を増加させて吹き出す空気に広がりを持たせ、着席者Ｐの周囲の空気の温度差を減少させて、着席者Ｐの快適感を充分に向上させることができる。
【００２６】
さらに、この例のカップホルダー３を用いたこの実施形態の観覧席用空調システムによれば、空調空気吹出口４を、カップホルダー３の周囲にそのカップホルダー３に対し同心円状に配置していることから、着席者Ｐの邪魔にならないように空調空気吹出口４をカップホルダー３の外側に配置することができ、しかも、図１（ｂ）に示すように、カップホルダー３の外側を通った空調空気の気流Ｆがカップホルダー３の真上にできる負圧領域で引き寄せられてカップホルダーの３真上に高く吹き上げられることから、空調空気の到達高さを高めることができ、これにより、前方からの外気の侵入等の外部環境の影響にもかかわらず、階段状の観覧席の全体に一定の高さの空調空気層Ｓを形成して、着席者Ｐの空気調和を効率良く行うことができる。また、気流が拡散しにくいので、着席者Ｐに過剰な気流感を与えることがない。
【００２７】
なお、図示しないが、空調空気吹出口４に、吹き出し方向を変える導風板を蝶番等を介して方向可変に設けて、空調空気の気流Ｆの一部を着席者Ｐに向けたり着席者Ｐに向かわないようにしたりすることで、着席者Ｐの好みに応じた空調状態が得られるようにしても良い。
【００２８】
図６（ａ），図６（ｂ）および図６（ｃ）は、上記実施形態の観覧席用空調システムに用いられるカップホルダーの他の一例を示す平面図、正面図および底面図であり、図７（ａ）および図７（ｂ）は、上記例のカップホルダーをそれぞれ示す側面図および背面図であり、図８（ａ）および図８（ｂ）は、上記例のカップホルダーを示す図６（ａ）中のＡ−Ａ線およびＢ−Ｂ線にそれぞれに沿う端面図であり、図９（ａ），図９（ｂ）および図９（ｃ）は、上記例のカップホルダーを示す図６（ｂ）中のＣ−Ｃ線、Ｄ−Ｄ線およびＥ−Ｅ線にそれぞれに沿う端面図である。
【００２９】
この例のカップホルダー３は、カップホルダー３の左右外側面に沿って上下方向に延在するとともに上下端が外部に開口した空調空気通路５を配置し、その空調空気通路の上端開口部を空調空気吹出口４とするとともに、その空調空気吹出口４を上方から見て、カップホルダー３の左右外側部に膨出させて全体として長円状の輪郭で配置し、またカップホルダー３の下に、下端部を床台１の内部の上記空調空気供給用のチャンバーやダクトに接続した空調空気供給路６を配置し、その空調空気供給路６の上端開口部６ａを斜め上向きに空調空気通路５に連通させて構成している。
【００３０】
なお、この例では空調空気通路５を画成するダクト７とその内側の空調空気供給路６の上端部とが樹脂で一体成型されて左右方向の中央部において互いに結合され、また、カップホルダー３とその外側の放射状の複数枚のリブ９とが樹脂で一体成型されて互いに結合されている。そしてそのリブ９がダクト７の上部に嵌め込まれるとともに、カップホルダー３の手前側円弧状外周部と奥側角形突条部とがダクト７の内側の手前側円弧状凹部と奥側角形溝部とにそれぞれ嵌合することで、カップホルダー３とダクト７と空調空気供給路６とが互いに結合されている。
【００３１】
さらにこの例では、カップホルダー３の底部に丸溝３ａが形成されるとともに手前側側壁の下端部にその丸溝３ａに整列する開口が形成され、さらに奥側側壁に、その丸溝３ａに整列するねじ孔３ｂと、上に行くほど手前側側壁から離れるように傾斜した奥側角形突条部の上端部に位置するもう一つのねじ孔３ｃとが形成され、またダクト７の手前側側壁の下端部に、カップホルダー３の丸溝３ａに整列する開口７ａが形成されるとともに、ダクト７の奥側側壁の下端部に、カップホルダー３のねじ孔３ｂ，３ｃにそれぞれ整列するねじ孔７ｂ，７ｃが形成されており、各ダクト７はカップホルダー３と一緒に、連結椅子２の各椅子の肘部後端に固定されて背部２ａ間に配置された支持部としてのブラケット１０に、それらカップホルダー３のねじ孔３ｂ，３ｃとダクト７のねじ孔７ｂ，７ｃとに挿通された図示しない止めねじで固定されている。
【００３２】
従って、この例のカップホルダー３を用いたこの実施形態の観覧席用空調システムにあっては、先の例のカップホルダー３を用いた場合と同様、観覧席の連結椅子２の近傍の、連結椅子２の着席者Ｐの邪魔にならずかつ着席者Ｐが利用し易い位置にカップホルダー３が配置され、そのカップホルダー３の左右外側に空調空気吹出口４を設けているので、観覧席の連結椅子２の各椅子の前後方向スペースを広くとることができる。
【００３３】
また、この例のカップホルダー３を用いたこの実施形態の観覧席用空調システムによれば、カップホルダー３の左右の外側面に沿って、上下方向に延在するとともに上下端が外部に開口した空調空気通路５を配置し、その空調空気通路５の上端開口部を空調空気吹出口４とするとともに、カップホルダー３の下に空調空気供給路６を配置し、その空調空気供給路６の上端開口部６ａを斜め上向きに空調空気通路５に連通させていることから、上端が空調空気吹出口４となった空調空気通路５の下端が外部に開口しているので、空調空気吹出口４から侵入した液体や異物を、空調空気供給路６内に落下させずに、空調空気通路５の下端開口から外部に排出することができる。
【００３４】
しかも、この例のカップホルダー３を用いたこの実施形態の観覧席用空調システムによれば、上下方向に延在する空調空気通路５に斜め上向きに連通している空調空気供給路６の上端開口部６ａから吹き出す空調空気が、空調空気通路５の下端開口部から椅子の周囲の空気を誘引してその誘引空気と一緒に上方（斜め上方を含む）へ吹き出すので、吹き出す空気量を増加させて吹き出す空気に広がりを持たせ、着席者Ｐの周囲の空気の温度差を減少させて、着席者Ｐの快適感を充分に向上させることができる。
【００３５】
さらに、この例のカップホルダー３を用いたこの実施形態の観覧席用空調システムによれば、空調空気吹出口４を上方から見て、カップホルダー３の左右外側部に膨出させて全体として長円状の輪郭で配置していることから、着席者Ｐの邪魔にならないように空調空気吹出口４をカップホルダー３の外側に配置することができ、しかも、先の例のカップホルダー３におけると同様に、カップホルダー３の外側を通った空調空気の気流Ｆがカップホルダー３の真上にできる負圧領域で引き寄せられてカップホルダーの３真上に高く吹き上げられるので、空調空気の到達高さを高めることができ、これにより、前方からの外気の侵入等の外部環境の影響にもかかわらず階段状の観覧席の全体に一定の高さの空調空気層Ｓを形成して、着席者Ｐの空気調和を効率良く行うことができる。また、気流が拡散しにくいので、着席者Ｐに過剰な気流感を与えることがない。
【００３６】
さらに、この例のカップホルダー３を用いたこの実施形態の観覧席用空調システムによれば、カップホルダー３の底部の丸溝３ａとダクト７の開口７ａとにより、外部に連通する排水路を設けているので、カップホルダー３の外側に空調空気通路５が存在するにもかかわらず、カップホルダー３内に液体や異物が溜まるのを防止することができる。
【００３７】
以上、図示例に基づき説明したが、この発明の観覧席用空調システムは上述の例に限定されるものでなく、特許請求の範囲の記載の範囲内で適宜変更し得るものであり、例えば空調空気吹出口４を設けたカップホルダー３を、連結椅子の肘掛けの先端部や後端部等に一体的に設けて、着席者の周囲の空気調和を行っても良い。また、空調空気吹出口４を設けたカップホルダー３を、ブラケットやスタンド等の支持部を介して観覧席の床、壁もしくは手摺に取り付けて、着席者Ｐの周囲の空気調和を行っても良い。
【００３８】
さらに、連結椅子２の左右方向へ延在して各椅子を支持する連結材や、その連結材を支持する脚材の内部空間を空調空気供給路６として用いても良い。また、観覧席の椅子は連結椅子２に限られず、独立した椅子であっても良い。
【産業上の利用可能性】
【００３９】
かくしてこの発明の観覧席用空調システムによれば、着席者の邪魔にならずかつ着席者が利用し易いように、連結椅子の背面側の各椅子の背部間に画成された凹部等の、観覧席の椅子の近傍で、各椅子の間または各椅子の斜め前方もしくは斜め後方の位置に配置されたカップホルダーの外側に空調空気吹出口を設けているので、観覧席の各椅子の前後方向スペースを広くとることができる。
【符号の説明】
【００４０】
１  床台
２  連結椅子
２ａ  背部
３  カップホルダー
３ａ  丸溝
３ｂ，３ｃ  ねじ孔
４  空調空気吹出口
５  空調空気通路
６  空調空気供給路
６ａ  上端開口部
７  ダクト
７ａ  開口
７ｂ，７ｃ  ねじ孔
８，９  リブ
１０  ブラケット
Ｆ  気流
Ｐ  着席者
【図１】
2015222162.tif 000003
【図２】
2015222162.tif 000004
【図３】
2015222162.tif 000005
【図４】
2015222162.tif 000006
【図５】
2015222162.tif 000007
【図６】
2015222162.tif 000008
【図７】
2015222162.tif 000009
【図８】
2015222162.tif 000010
【図９】
2015222162.tif 000011